【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
方法であって：
容器中の血液サンプルを一定時間の間遠心分離すること；
遠心分離の開始後に、前記血液サンプル中の少なくとも１つの形成された血液構成成分について、時間に関係する圧縮曲線を確立すること；
以下の式に基づく、ヘマトクリット修正因子を用いることにより、形成された血液構成成分の沈降速度へのヘマトクリットの影響を修正すること：
【数３】
2015528910.tif 000001
を含み、
式中、ＵｕｎｃｏｒｒおよびＵｃｏｒｒは、それぞれ未修正の（生の）および修正された沈降速度であり、ψは細胞の容積分率（ヘマトクリット）であり、ならびにψｍａｘおよびγは、曲線適合から得られた経験的パラメータである方法。
【請求項２】
方法であって：
容器中の血液サンプルを一定時間の間遠心分離すること；
遠心分離の開始後に、前記血液サンプル中の少なくとも１つの形成された血液構成成分について、時間に関係する圧縮曲線を確立すること；
以下の式に基づく、ヘマトクリット修正因子を用いることにより、形成された血液構成成分の沈降速度へのヘマトクリットの影響を修正すること：
【数４】
2015528910.tif 000002
を含み、
式中、ＵｕｎｃｏｒｒおよびＵｃｏｒｒは、それぞれ未修正の（生の）および修正された沈降速度であり、ψは細胞の容積分率（ヘマトクリット）であり、ならびにψｍａｘおよびγは、曲線適合から得られた経験的パラメータである方法。
【請求項３】
ヘマトクリット修正因子についての曲線適合が、遠心分離に基づく技法からの沈降速度を参照技法からの沈降速度で校正することを含む、請求項１または２に記載の方法。
【請求項４】
前記参照技法がウエスターグレン技法である、請求項３に記載の方法。
【請求項５】
１５ｍｇ／ｍｌの高さのフィブリノーゲン・レベルが、沈降速度測定には影響しない、請求項１〜４のいずれか１つに記載の方法。
【請求項６】
前記血液サンプルが約１００ｕＬ以下である、請求項１〜５のいずれか１つに記載の方法。
【請求項７】
前記血液サンプルが約５０ｕＬ以下である、請求項１〜６のいずれか１つに記載の方法。
【請求項８】
前記血液サンプルが約２５ｕＬ以下である、請求項１〜７のいずれか１つに記載の方法。
【請求項９】
遠心分離が、第一の期間の間に第一の速度で生じ、および次いで第二の期間の間に、より速い速度で生じる、請求項１〜８のいずれか１つに記載の方法。
【請求項１０】
血液サンプル中の１つ以上の形成された血液構成要素の界面位置を確立するために、遠心分離が、遠心分離の間に、血液サンプルが目視により観察されることを可能にするために構成された遠心分離器を使用することを含む、請求項１〜９のいずれか１つに記載の方法。
【請求項１１】
赤血球／血漿界面の経時的な位置を確立するために、血液サンプルを目視により観察されることを可能にするために、遠心分離が窓をその上に有する遠心分離機を使用する、請求項１〜１０のいずれか１つに記載の方法。
【請求項１２】
形成された血液構成要素／血漿界面位置を経時的に確立するために、血液サンプルの目視による観察を可能にするために、遠心分離が、遠心分離機、光源、および画像捕捉機器を用いる、請求項１〜１１のいずれか１つに記載の方法。
【請求項１３】
遠心分離容器中で、１つ以上の形成された血液構成要素の界面位置の複数の画像を経時的に捕捉することにより圧縮曲線データを収集する、請求項１〜１２のいずれか１つに記載の方法。
【請求項１４】
圧縮曲線データが、サンプルが遠心分離される間に収集される、請求項１〜１３のいずれか１つに記載の方法。
【請求項１５】
遠心分離が、ヘマトクリットについての正確な値を得るため、およびヘマトクリットの沈降速度測定に対する影響を修正するために用いられる、請求項１〜１４のいずれか１つに記載の方法。
【請求項１６】
ヘマトクリットについて修正することが、前記曲線中に生じる複数の形成された血液構成成分の界面位置についての数学関数を計算することを含み、前記関数は、ヘマトクリットによる沈降速度変動を修正するために作用する、請求項１〜１５のいずれか１つに記載の方法。
【請求項１７】
ヘマトクリット修正因子が、圧縮曲線非線形部分からのデータを用いることなく決定される、請求項１〜１６のいずれか１つに記載の方法。
【請求項１８】
サンプル中のヘマトクリット・レベルが、技法遠心分離とは別の技法により導出される、請求項１〜１７のいずれか１つに記載の方法。
【請求項１９】
ψｍａｘおよびγが適合最適化のためのものであり、および物理的パラメータには直接関係しない、請求項１〜１８のいずれか１つに記載の方法。
【請求項２０】
曲がった界面の平坦な界面への変換のための画像変換を更に含む、請求項１〜１９のいずれか１つに記載の方法。
【請求項２１】
ヘマトクリット修正が、ヘマトクリットの、形成された血液構成成分の沈降速度への影響を本質的に除去する能力がある、請求項１〜２０のいずれか１つに記載の方法。
【請求項２２】
前記画像変換パラメータが選択され、形成された血液構成成分の界面位置のビデオが画像変換により達成され、および次いで空気／血漿界面および赤血球界面の両方について両方の全範囲を覆う目的の領域が選ばれる、請求項２０または２１に記載の方法。
【請求項２３】
サンプル容器を放射状に下降する強度を表す単一の列を作成するために、ビデオについての各時点について、目的の領域内のサンプル容器の全域に亘り、各行についてのピクセル強度値が平均される、請求項２２に記載の方法。
【請求項２４】
前記各時点についての列が、次いでキモグラフに組み立てられる、請求項２３に記載の方法。
【請求項２５】
１つが空気／血漿界面に、および他が血漿／赤血球界面に対応する２つの画像の極大の位置が決定される、請求項２４に記載の方法。
【請求項２６】
ピクセル位置を全サンプルおよび赤血球により占有される容積に変換することを含み、遠心分離容器の頂部および底部のｙ−位置が、遠心分離容器の形状の知識と共に参照位置として使用される、請求項２４に記載の方法。
【請求項２７】
血漿／赤血球界面位置を赤血球により占有される容積分率に変換すること、および遠心分離沈降曲線として時間に対してプロットすることを含む、請求項１〜２６のいずれか１つに記載の方法。
【請求項２８】
沈降プロファイルの線形領域が、沈降速度の抽出に用いられる、請求項１〜２７のいずれか１つに記載の方法。
【請求項２９】
ウエスターグレンＥＳＲに線形に相関する沈降速度の推算を導出することを更に含み、遠心分離から導出される、ヘマトクリットにより修正されたデータを、更に次の式で修正する、請求項１〜２８のいずれか１つに記載の方法：推算されたウエスターグレンＥＳＲ＝１０＾（（（ＬＯＧ（ＨＣＴ修正されたＥＳＲ）−ＬＯＧ（ａ））／ｂ））。
【請求項３０】
沈降速度の線形グラフを確立するために、ヘマトクリットによる修正およびＬｏｇ（ＥＳＲ）値の線形変換を更に含む、請求項１〜２９のいずれか１つに記載の方法。
【請求項３１】
前記血液サンプルが全血である、請求項１〜３０のいずれか１つに記載の方法。
【請求項３２】
前記血液サンプルが抗凝血処理されたサンプルである、請求項１〜３１のいずれか１つに記載の方法。
【請求項３３】
前記形成された血液構成成分が白血球細胞である、請求項１〜３２のいずれか１つに記載の方法。
【請求項３４】
前記形成された血液構成成分が血小板である、請求項１〜３３のいずれか１つに記載の方法。
【請求項３５】
遠心分離の開始後に白血球沈降速度を決定することを更に含み、白血球沈降速度を測定することが、白血球細胞に関する少なくとも１つの次のものを特性化する、請求項１〜３４のいずれか１つに記載の方法：細胞密度、形状、および凝集状態。
【手続補正２】
【補正対象書類名】明細書
【補正対象項目名】００２７
【補正方法】変更
【補正の内容】
【００２７】
この要旨は、以下の発明の詳細な説明で更に記載される概念の単純化された形態における選択を紹介するために提供される。この要旨は、主張される主題の主要な特徴または本質的な特性を特定することを意図しておらず、主張される主題の範囲を限定するために用いられることを意図していない。
本発明の実施形態において、例えば以下の項目が提供される。
（項目１）
方法であって：
血漿から形成された血液構成要素を分離するために、一定時間の間、加速された血液構成成分の分離技法を血液サンプルに用いること；
形成された血液構成成分の沈降速度を少なくとも時間に関係する圧縮曲線およびヘマトクリット修正因子に基づいて決定することを含み：前記血液サンプル中の、少なくとも１つの形成された血液構成成分についての、時間に関係する圧縮曲線は、加速された血液構成成分の分離が開始された後に決定され、前記圧縮曲線は、最初のおおむね線形の部分および線形部分の後の非線形部分を有する、方法。
（項目２）
前記加速された血液構成成分の分離技法が遠心分離を含む、項目１に記載の方法。
（項目３）
遠心分離に基づく技法からの沈降速度を参照技法からの沈降速度により校正することを更に含む、項目１に記載の方法。
（項目４）
前記参照技法が、ウエスターグレン技法である、項目１に記載の方法。
（項目５）
前記血液サンプルが、約２５ｕＬ以下である、項目１に記載の方法。
（項目６）
遠心分離が、第一の期間の間に第一の速度で生じ、および次いで第二の期間の間に、より速い速度で生じる、項目２に記載の方法。
（項目７）
遠心分離が、血液サンプル中の１つ以上の形成された血液構成要素の界面位置を確立するために、遠心分離の間血液サンプルが目視による観察を可能にするために構成された遠心分離機の使用を含む、項目２に記載の方法。
（項目８）
赤血球／血漿界面の経時的な位置を確立するために、血液サンプルを目視により観察されることを可能にするために、遠心分離が窓をその上に有する遠心分離機を使用する、項目２に記載の方法。
（項目９）
形成された血液構成要素／血漿界面の経時的な位置を確立するために、遠心分離が遠心分離機、光源、および血液サンプルの目視による観察を可能にするための画像捕捉機器を用いることを含む、項目２に記載の方法。
（項目１０）
圧縮曲線データが、一定の時間の期間の後に、遠心分離容器内の１つ以上の形成された血液構成要素の界面位置の単一の画像の捕捉により収集され、沈降速度が、上澄みのメニスカスの位置および界面の位置に基づいて計算される、項目２に記載の方法。
（項目１１）
圧縮曲線データが、遠心分離容器内の１つ以上の形成された血液構成要素の界面位置の、複数の画像の経時的な捕捉により収集される、項目２に記載の方法。
（項目１２）
複数の画像中のピクセル位置が、正確に界面位置を決定するために用いられる、項目１１に記載の方法。
（項目１３）
サンプルが遠心分離される間に圧縮曲線データが収集される、項目２に記載の方法。
（項目１４）
遠心分離が、ヘマトクリット測定を得るため、およびヘマトクリットの沈降速度測定への影響を修正するために用いられる、項目２に記載の方法。
（項目１５）
ヘマトクリットについて修正することが、前記曲線中に生じる、複数の形成された血液構成成分の界面位置についての数学関数を計算することを含み、前記関数はヘマトクリットに起因する沈降速度変動を修正するために作動する、項目２に記載の方法。
（項目１６）
サンプルのヘマトクリット測定が、遠心分離とは別個の技法から導出される、項目２に記載の方法。
（項目１７）
曲がった界面の平坦な界面への変換のための、画像変換を更に含む、項目１に記載の方法。
（項目１８）
画像変換パラメータが選択され、画像変換により形成された血液構成成分の界面位置のビデオが達成され、および次いで、空気／血漿界面および赤血球界面の両方についての位置の全範囲を覆う目的の領域が、選ばれる、項目１７に記載の方法。
（項目１９）
サンプル容器を放射状に下降する強度を表す単一の列を作成するために、目的の領域内の、ビデオについての各時点、サンプルを含むサンプル容器の全域に亘る、各行についてのピクセル強度値が平均される、項目１８に記載の方法。
（項目２０）
沈降プロファイルの線形領域が沈降速度の抽出に用いられる、項目１に記載の方法。
（項目２１）
形成された血液構成成分が白血球細胞である、項目１に記載の方法。
（項目２２）
形成された血液構成成分が、血小板である、項目１に記載の方法。
（項目２３）
曲がった界面を持つ画像が直線界面を持つ画像に修正されるために、前記画像の画像変換を遂行すること；
遠心分離の開始後に、前記血液サンプル中の少なくとも１つの形成された血液構成成分について、前記修正された画像中の界面位置に基づき、時間に関係する圧縮曲線を確立することを更に含む、項目２に記載の方法。
（項目２４）
少なくとも血液サンプルの一部分を、血液サンプルの位置から遠心分離容器内に移転するために、プログラム可能なプロセッサにより制御されるシステムを用いること；
前記容器を第一のアドレス可能な位置から、第二のアドレス可能な位置を持つ遠心分離機に移転するために、プログラム可能なプロセッサの制御下にサンプル取扱いシステムを用いること；
容器中の血液サンプルを一定時間の間遠心分離すること；
遠心分離後に、形成された血液構成成分および血漿の界面の位置の、少なくとも１つの画像を収集すること；
遠心分離の開始後に、画像中の界面位置に基づいて、前記血液サンプル中の少なくとも１つの形成された血液構成成分について、時間に関係する圧縮曲線を確立することを更に含む、項目２に記載の方法。
（項目２５）
前記画像を得るために、前記容器が遠心分離機から除去される、項目２４に記載の方法。
（項目２６）
前記画像が取得された後に、容器が、遠心分離機に戻される、項目２４に記載の方法。
（項目２７）
圧縮が完了するまで、少なくとも１つの形成された血液構成成分の経時的な線形圧縮曲線を確立するために、遠心分離速度を変化させること；
少なくともその時間の期間の一部分について、遠心分離速度プロファイルを監視すること；および
血液構成成分沈降速度を、遠心分離速度プロファイルに基づいて決定することを更に含む、項目２に記載の方法。
（項目２８）
最初の時間に、形成された血液構成成分および血漿の界面の位置の少なくとも第一の単一の画像を採集すること；
第二の時間に、沈降速度がまだ線形である間に、形成された血液構成成分および血漿の界面の位置の少なくとも第二の単一の画像を採集すること；
形成された血液構成成分および血漿の界面の位置の少なくとも第一の単一の画像を収集すること；
沈降がまだ線形である間に、形成された血液構成成分および血漿の界面の位置の少なくとも第二の単一の画像を収集すること；
前記血液サンプル中の少なくとも１つの形成された血液構成成分について、計算された線形沈降速度およびヘマトクリット修正因子に基づいて、沈降速度を計算することを更に含む、項目２に記載の方法。
（項目２９）
方法であって：
血漿から形成された血液構成要素を分離するために血液サンプルに加速された血液構成成分の分離技法を、一定時間の間用いること；
加速された血液構成成分の分離の開始後に、前記血液サンプル中の少なくとも１つの形成された血液構成成分について、時間に関係する圧縮曲線を確立することを含み、前記圧縮曲線は、最初のおおむね線形の部分を有し；
形成された血液構成成分の沈降速度が、少なくとも圧縮曲線およびヘマトクリット修正因子に基づいて決定される、方法。
（項目３０）
方法であって：
容器中の血液サンプルを一定時間の間遠心分離すること；
沈降速度を確立するために、単一状態の条件中の容器の画像化を用いること；
ヘマトクリット修正因子を用いて、形成された血液構成成分の沈降速度へのヘマトクリットの影響を修正することを含む方法。
（項目３１）
画像化を用いることが、容器の単一の画像を用いることを含む、項目３０に記載の方法。
（項目３２）
容器中の上澄み液のメニスカスが、形成された構成要素の最初のレベルおよび界面位置を示し、上澄み液が、沈降速度がそれから計算される、現在の位置を示す、項目３１に記載の方法。
（項目３３）
画像化を用いることが、容器が単一状態の条件中にある間に、全ての容器の複数の画像を用いることを含む、項目３０に記載の方法。
（項目３４）
方法であって：
容器中の血液サンプルを一定時間の間遠心分離すること；
前記圧縮曲線のおおむね線形の部分に、ヘマトクリット修正因子を用いることにより、形成された血液構成成分の沈降速度へのヘマトクリットの影響を修正することを含む方法。
（項目３５）
方法であって：
容器中の血液サンプルを一定時間の間遠心分離すること；
遠心分離の開始後に、前記血液サンプル中の少なくとも１つの形成された血液構成成分について、時間に関係する圧縮曲線を確立すること；
以下の式に基づく、ヘマトクリット修正因子を用いることにより、形成された血液構成成分の沈降速度へのヘマトクリットの影響を修正すること：
【数３】
2015528910.tif 000003
を含み、
式中、ＵｕｎｃｏｒｒおよびＵｃｏｒｒは、それぞれ未修正の（生の）および修正された沈降速度であり、ψは細胞の容積分率（ヘマトクリット）であり、ならびにψｍａｘおよびγは、曲線適合から得られた経験的パラメータである方法。
（項目３６）
方法であって：
容器中の血液サンプルを一定時間の間遠心分離すること；
遠心分離の開始後に、前記血液サンプル中の少なくとも１つの形成された血液構成成分について、時間に関係する圧縮曲線を確立すること；
以下の式に基づく、ヘマトクリット修正因子を用いることにより、形成された血液構成成分の沈降速度へのヘマトクリットの影響を修正すること：
【数４】
2015528910.tif 000004
を含み、
式中、ＵｕｎｃｏｒｒおよびＵｃｏｒｒは、それぞれ未修正の（生の）および修正された沈降速度であり、ψは細胞の容積分率（ヘマトクリット）であり、ならびにψｍａｘおよびγは、曲線適合から得られた経験的パラメータである方法。
（項目３７）
ヘマトクリット修正因子についての曲線適合が、遠心分離に基づく技法からの沈降速度を参照技法からの沈降速度で校正することを含む、上述の項目のいずれか１つに記載の方法。
（項目３８）
前記参照技法がウエスターグレン技法である、上述の項目のいずれか１つに記載の方法。
（項目３９）
１５ｍｇ／ｍｌの高さのフィブリノーゲン・レベルが、沈降速度測定には影響しない、上述の項目のいずれか１つに記載の方法。
（項目４０）
前記血液サンプルが約１００ｕＬ以下である、上述の項目のいずれか１つに記載の方法。
（項目４１）
前記血液サンプルが約５０ｕＬ以下である、上述の項目のいずれか１つに記載の方法。
（項目４２）
前記血液サンプルが約２５ｕＬ以下である、上述の項目のいずれか１つに記載の方法。
（項目４３）
遠心分離が、第一の期間の間に第一の速度で生じ、および次いで第二の期間の間に、より速い速度で生じる、上述の項目のいずれか１つに記載の方法。
（項目４４）
血液サンプル中の１つ以上の形成された血液構成要素の界面位置を確立するために、遠心分離が、遠心分離の間に、血液サンプルが目視により観察されることを可能にするために構成された遠心分離器を使用することを含む、上述の項目のいずれか１つに記載の方法。
（項目４５）
赤血球／血漿界面の経時的な位置を確立するために、血液サンプルを目視により観察されることを可能にするために、遠心分離が窓をその上に有する遠心分離機を使用する、上述の項目のいずれか１つに記載の方法。
（項目４６）
形成された血液構成要素／血漿界面位置を経時的に確立するために、血液サンプルの目視による観察を可能にするために、遠心分離が、遠心分離機、光源、および画像捕捉機器を用いる、上述の項目のいずれか１つに記載の方法。
（項目４７）
遠心分離容器中で、１つ以上の形成された血液構成要素の界面位置の複数の画像を経時的に捕捉することにより圧縮曲線データを収集する、上述の項目のいずれか１つに記載の方法。
（項目４８）
圧縮曲線データが、サンプルが遠心分離される間に収集される、上述の項目のいずれか１つに記載の方法。
（項目４９）
遠心分離が、ヘマトクリットについての正確な値を得るため、およびヘマトクリットの沈降速度測定に対する影響を修正するために用いられる、上述の項目のいずれか１つに記載の方法。
（項目５０）
ヘマトクリットについて修正することが、前記曲線中に生じる複数の形成された血液構成成分の界面位置についての数学関数を計算することを含み、前記関数は、ヘマトクリットによる沈降速度変動を修正するために作用する、上述の項目のいずれか１つに記載の方法。
（項目５１）
ヘマトクリット修正因子が、圧縮曲線非線形部分からのデータを用いることなく決定される、上述の項目のいずれか１つに記載の方法。
（項目５２）
サンプル中のヘマトクリット・レベルが、技法遠心分離とは別の技法により導出される、上述の項目のいずれか１つに記載の方法。
（項目５３）
ψｍａｘおよびγが適合最適化のためのものであり、および物理的パラメータには直接関係しない、上述の項目のいずれか１つに記載の方法。
（項目５４）
曲がった界面の平坦な界面への変換のための画像変換を更に含む、上述の項目のいずれか１つに記載の方法。
（項目５５）
ヘマトクリット修正が、ヘマトクリットの、形成された血液構成成分の沈降速度への影響を本質的に除去する能力がある、上述の項目のいずれか１つに記載の方法。
（項目５６）
画像変換パラメータが選択され、形成された血液構成成分の界面位置のビデオが画像変換により達成され、および次いで空気／血漿界面および赤血球界面の両方について両方の全範囲を覆う目的の領域が選ばれる、上述の項目のいずれか１つに記載の方法。
（項目５７）
サンプル容器を放射状に下降する強度を表す単一の列を作成するために、ビデオについての各時点について、目的の領域内のサンプル容器の全域に亘り、各行についてのピクセル強度値が平均される、上述の項目のいずれか１つに記載の方法。
（項目５８）
各時点についての列が、次いでキモグラフに組み立てられる、上述の項目のいずれか１つに記載の方法。
（項目５９）
１つが空気／血漿界面に、および他が血漿／赤血球界面に対応する２つの画像の極大の位置が決定される、項目５８に記載の方法。
（項目６０）
ピクセル位置を全サンプルおよび赤血球により占有される容積に変換することを含み、遠心分離容器の頂部および底部のｙ−位置が、遠心分離容器の形状の知識と共に参照位置として使用される、項目５８に記載の方法。
（項目６１）
血漿／赤血球界面位置を赤血球により占有される容積分率に変換すること、および遠心分離沈降曲線として時間に対してプロットすることを含む、上述の項目のいずれか１つに記載の方法。
（項目６２）
沈降プロファイルの線形領域が、沈降速度の抽出に用いられる、上述の項目のいずれか１つに記載の方法。
（項目６３）
ウエスターグレンＥＳＲに線形に相関する沈降速度の推算を導出することを更に含み、遠心分離から導出される、ヘマトクリットにより修正されたデータを、更に次の式で修正する、上述の項目のいずれか１つに記載の方法：推算されたウエスターグレンＥＳＲ＝１０＾（（（ＬＯＧ（ＨＣＴ修正されたＥＳＲ）−ＬＯＧ（ａ））／ｂ））。
（項目６４）
沈降速度の線形グラフを確立するために、ヘマトクリットによる修正およびＬｏｇ（ＥＳＲ）値の線形変換を更に含む、上述の項目のいずれか１つに記載の方法。
（項目６５）
前記血液サンプルが全血である、上述の項目のいずれか１つに記載の方法。
（項目６６）
前記血液サンプルが抗凝血処理されたサンプルである、上述の項目のいずれか１つに記載の方法。
（項目６７）
前記形成された血液構成成分が白血球細胞である、上述の項目のいずれか１つに記載の方法。
（項目６８）
前記形成された血液構成成分が血小板である、上述の項目のいずれか１つに記載の方法。
（項目６９）
遠心分離の開始後に白血球沈降速度を決定することを更に含み、白血球沈降速度を測定することが、白血球細胞に関する少なくとも１つの次のものを特性化する、上述の項目のいずれか１つに記載の方法：細胞密度、形状、および凝集状態。
（項目７０）
方法であって：
加速された血液サンプル圧縮プロセスから、形成された血液構成成分および血漿の界面の位置の経時的な複数の画像を収集すること；
曲がった界面を持つ画像が直線界面を持つ画像に修正されるために、前記複数の画像の画像変換を遂行すること；
前記血液サンプル中の少なくとも１つの形成された血液構成成分について、前記修正された画像中の界面位置に基づき時間に関係する圧縮曲線を確立すること。
（項目７１）
方法であって：
容器中の血液サンプルを一定時間の間遠心分離すること；
形成された血液構成成分および血漿の界面の位置の複数の画像を経時的に収集すること；
曲がった界面を持つ画像を、修正された直線の界面を持つ画像に変換するために前記画像の画像変換を遂行すること；
遠心分離の開始後に、前記血液サンプル中の少なくとも１つの形成された血液構成成分について、前記修正された画像中の界面位置に基づく、時間に関係する圧縮曲線を確立することを
（項目７２）
方法であって：
血液サンプルの位置から遠心分離容器中に血液サンプルの少なくとも一部分を移転するために、プログラム可能なプロセッサに制御されるシステムを用いること；
前記容器を第一のアドレス可能な位置から、第二のアドレス可能な位置を持つ遠心分離機に移転するために、プログラム可能なプロセッサの制御下にサンプル取扱いシステムを用いること；
容器中の血液サンプルを一定時間の間遠心分離すること；
形成された血液構成成分および血漿の界面の位置複数の画像を経時的に収集すること；
遠心分離の開始後に、前記血液サンプル中の少なくとも１つの形成された血液構成成分について、前記修正された画像中の界面位置に基づき時間に関係する圧縮曲線を確立すること。
（項目７３）
前記遠心分離機が約１５ｃｍ以下の回転子を持つ、上述の項目のいずれか１つに記載の方法。
（項目７４）
前記遠心分離機が約１０ｃｍ以下の回転子を持つ、上述の項目のいずれか１つに記載の方法。
（項目７５）
前記遠心分離機が、回転子が作動中に、約１５ｃｍ以下の最長寸法で領域を囲む、上述の項目のいずれか１つに記載の方法。
（項目７６）
前記遠心分離機が、回転子が作動中に、約１０ｃｍ以下の最長寸法で領域を囲む、上述の項目のいずれか１つに記載の方法。
（項目７７）
方法であって：
容器中の血液サンプルを一定時間の間遠心分離すること；
圧縮が完了するまで、少なくとも１つの形成された血液構成成分の経時的な線形圧縮曲線を確立するために、遠心分離速度を変化させること；
少なくともその時間の期間の一部分について、遠心分離速度プロファイルを監視すること；および
遠心分離速度プロファイルに基づいて血液構成成分の沈降速度を決定することを含む方法。
（項目７８）
方法であって：
容器中の血液サンプルを一定時間の間遠心分離すること；
最初の時間に、形成された血液構成成分および血漿の界面の位置の第一の単一の画像を採集すること；
第二の時間に、沈降速度がまだ線形である間に、形成された血液構成成分および血漿の界面の位置の第二の単一の画像を採集すること；
前記血液サンプル中の少なくとも１つの形成された血液構成成分について、計算された線形沈降速度およびヘマトクリット修正因子に基づいて沈降速度を計算することを含む方法。
（項目７９）
サンプルと共に用いる機器であって、前記機器は：
遠心分離中に、容器ホルダー中の、血液構成成分の界面位置の検出を可能にするために構成された遠心分離容器ホルダーを有する遠心分離機を含む機器。
（項目８０）
前記遠心分離機が、遠心分離の間に、遠心分離容器ホルダーの目視による観察を可能にする窓を有する、項目７９に記載の機器。
（項目８１）
前記遠心分離機が、サンプル中の血液構成成分の界面位置の検出を可能にする照明源を含む、項目７９に記載の機器。
（項目８２）
システムであって：
容器ホルダー中の容器中の血液構成成分の界面位置を検出することを可能にするために構成された遠心分離容器ホルダーを有する遠心分離機；
血液サンプルを第一の位置から遠心分離機の位置まで移転するためのサンプル取扱いシステム；および
遠心分離の少なくとも一部分の間に、界面位置を記録するためにプログラムされたプロセッサを含むシステム。